(57)【要約】      （修正有）【課題】折り畳み式商品展示棚の提供。【解決手段】複数のアルミ押し型支柱1，2と複数のアルミ押し型横梁3，4，5，6，7，8が組み合わされてなり、後方に位置する横梁の断面下方に複数の横向き軌道31，41，51が形成され、両側の支柱に設けられたプーリ192が該軌道に挿入され、横梁の断面の横向き軌道と両側の支柱に接続されたプーリシート191の組合せにより、両側の一端が横梁下方の横向き軌道中でスライド移動して商品展示棚を折り畳む目的を達成する。【選択図】図１
0003102881.tif 000002
【実用新案登録請求の範囲】
【請求項１】
複数のアルミ押し型支柱と複数のアルミ押し型横梁及び上カバーが組み合わされてなり、二つのアルミ押し型支柱は、その断面に二つの嵌挿溝を具え、そのうち、一方の嵌挿溝は、アルミ押し型支柱がその他の部品との組立完成後に、その内部に電源線を通すのに供され、電源線を外部に露出させず、もう一方の嵌挿溝は二つの位置決めブロックの嵌挿に供され、位置決めブロックはその断面が略Ｌ形とされ、一方が一つ、もう一方が二つの位置決めネジを具え、一つの位置決めネジが設けられる部分の後方に、嵌挿溝の断面形状に対応する形状の嵌挿ブロックが設けられ、該嵌挿ブロックは嵌挿溝中で自由に上下にスライドし、並びに適当な高さとされた後に、位置決めネジで位置決めされ、アルミ押し型支柱にあって嵌挿溝に接続される一端に、折り曲げ部が延設され、この折り曲げ部により商品展示棚の左右両側壁の一端に接続され、該商品展示棚の左右側壁にあってアルミ押し型支柱の嵌挿溝との接続部分に、プーリシートが接続され、該プーリシートにプーリが取り付けられ、該プーリがアルミ押し型横梁の断面下方に形成された複数の横向き軌道中に嵌合され、別の二つのアルミ押し型支柱は、その断面に、前述の二つのアルミ押し型支柱と同じ機能を具えた二つの嵌挿溝が設けられ、それは電源線の収容ともう一つの位置決めブロックの嵌挿に供され、四つのアルミ押し型支柱の内部に四つの同じ機能の位置決めブロックが嵌挿されて、四つの角部が形成され、この四つの位置決めブロックの上端面の幅を利用し、棚板或いはガラスがその上に置かれ、該別の二つのアルミ押し型支柱の嵌挿溝に接続する一端に折り曲げ部が設けられ、並びに折り曲げ部の尾端下方に設けられたネジ孔柱が、商品展示棚の左右側壁の別端に設けられたネジ孔座と相互に枢設されて、回転可能な支点を形成し、三つのアルミ押し型横梁に順に複数の横向き軌道が形成されて、左右側壁の一端に設けられたプーリシート内のプーリがその内部に挿入され、また該横向き軌道の押し型体断面の上或いは下方の対応位置に、略山形の軌道が設けられ、その間に引き戸或いは隔板が取り付けられ、別の三つのアルミ押し型横梁はその上下の対応部分に略Ｕ形軌道が設けられてその間に隔板が設置され、該別の三つのアルミ押し型横梁のうち一つのアルミ押し型横梁の前方に別に嵌め溝が設けられて照明用のランプが嵌め込まれ、該別の三つのアルミ押し型横梁のうち二つのアルミ押し型横梁の前方部分に押し型框口が設けられてそれにネジ孔柱が設けられて、棚板の一端がそれと枢設され、並びに回転可能な支点を形成し、棚板の別端が開放可能とされ、上カバーは、その一端に接続ヘッドが設けられて最上層のアルミ押し型横梁の前端の框口と嵌挿されて枢設され、回転可能な支点を形成し、上カバーがこの支点を以て最上層のアルミ押し型横梁の後方に向けて折り曲げ可能とされたことを特徴とする、折り畳み式商品展示棚。
【考案の詳細な説明】
【技術分野】
【０００１】
本考案は折り畳み式商品展示棚に係り、特に両側面の一端がアルミ押し型横梁下方の横向き軌道中でスライドすることにより商品展示棚の折り畳みが行なえる構造に関する。
【背景技術】
【０００２】
一般に使用されている商品展示棚は多種類の造形があるが、そのアルミ押し型支柱とアルミ押し型横梁は固定接続方式で構成され、ゆえに商品展示棚の組立完成後には折り畳むことができず、場所をとり、運送と放置に不便である。
【考案の開示】
【考案が解決しようとする課題】
【０００３】
このため、本考案は、折り畳みできて体積を縮小でき、構造設計上、全方位の機能性を提供し、周知の商品展示棚に較べて進歩性と実用性を具えた折り畳み式商品展示棚を提供することを目的とする。
【課題を解決するための手段】
【０００４】
請求項１の考案は、複数のアルミ押し型支柱と複数のアルミ押し型横梁及び上カバーが組み合わされてなり、二つのアルミ押し型支柱は、その断面に二つの嵌挿溝を具え、そのうち、一方の嵌挿溝は、アルミ押し型支柱がその他の部品との組立完成後に、その内部に電源線を通すのに供され、電源線を外部に露出させず、もう一方の嵌挿溝は二つの位置決めブロックの嵌挿に供され、位置決めブロックはその断面が略Ｌ形とされ、一方が一つ、もう一方が二つの位置決めネジを具え、一つの位置決めネジが設けられる部分の後方に、嵌挿溝の断面形状に対応する形状の嵌挿ブロックが設けられ、該嵌挿ブロックは嵌挿溝中で自由に上下にスライドし、並びに適当な高さとされた後に、位置決めネジで位置決めされ、アルミ押し型支柱にあって嵌挿溝に接続される一端に、折り曲げ部が延設され、この折り曲げ部により商品展示棚の左右両側壁の一端に接続され、該商品展示棚の左右側壁にあってアルミ押し型支柱の嵌挿溝との接続部分に、プーリシートが接続され、該プーリシートにプーリが取り付けられ、該プーリがアルミ押し型横梁の断面下方に形成された複数の横向き軌道中に嵌合され、別の二つのアルミ押し型支柱は、その断面に、前述の二つのアルミ押し型支柱と同じ機能を具えた二つの嵌挿溝が設けられ、それは電源線の収容ともう一つの位置決めブロックの嵌挿に供され、四つのアルミ押し型支柱の内部に四つの同じ機能の位置決めブロックが嵌挿されて、四つの角部が形成され、この四つの位置決めブロックの上端面の幅を利用し、棚板或いはガラスがその上に置かれ、該別の二つのアルミ押し型支柱の嵌挿溝に接続する一端に折り曲げ部が設けられ、並びに折り曲げ部の尾端下方に設けられたネジ孔柱が、商品展示棚の左右側壁の別端に設けられたネジ孔座と相互に枢設されて、回転可能な支点を形成し、三つのアルミ押し型横梁に順に複数の横向き軌道が形成されて、左右側壁の一端に設けられたプーリシート内のプーリがその内部に挿入され、また該横向き軌道の押し型体断面の上或いは下方の対応位置に、略山形の軌道が設けられ、その間に引き戸或いは隔板が取り付けられ、別の三つのアルミ押し型横梁はその上下の対応部分に略Ｕ形軌道が設けられてその間に隔板が設置され、該別の三つのアルミ押し型横梁のうち一つのアルミ押し型横梁の前方に別に嵌め溝が設けられて照明用のランプが嵌め込まれ、該別の三つのアルミ押し型横梁のうち二つのアルミ押し型横梁の前方部分に押し型框口が設けられてそれにネジ孔柱が設けられて、棚板の一端がそれと枢設され、並びに回転可能な支点を形成し、棚板の別端が開放可能とされ、上カバーは、その一端に接続ヘッドが設けられて最上層のアルミ押し型横梁の前端の框口と嵌挿されて枢設され、回転可能な支点を形成し、上カバーがこの支点を以て最上層のアルミ押し型横梁の後方に向けて折り曲げ可能とされたことを特徴とする、折り畳み式商品展示棚としている。
【考案の効果】
【０００５】
本考案の折り畳み式商品展示棚は、両側面の一端がアルミ押し型横梁下方の横向き軌道中でスライドすることにより商品展示棚の折り畳みが行なえる。
【考案を実施するための最良の形態】
【０００６】
図１から図５に示されるように、本考案は、複数のアルミ押し型支柱１、２と複数のアルミ押し型横梁３、４、５、６、７、８及び上カバー９が組み合わされてなる。各部品間の関係位置及び各部品の構造について以下に説明する。
アルミ押し型支柱１は、その断面に二つの嵌挿溝１１、１２を具え、そのうち、嵌挿溝１１は、アルミ押し型支柱１がその他の部品との組立完成後に、その内部に電源線を通して電源線を外部に露出させず、嵌挿溝１２は二つの位置決めブロック１３、１３０のいずれかの嵌挿に供され、位置決めブロック１３、１３０はその断面が略Ｌ形とされ、並びに位置決めネジ１４を具え（位置決めブロック１３０はもう一辺に余分に位置決めネジ１５を具えている）、且つ位置決めネジ１４が設けられる部分の後方に、嵌挿溝１２の断面形状に対応する形状の嵌挿ブロック１６が設けられ、該嵌挿ブロック１６は嵌挿溝１２中で自由に上下にスライドし、並びに適当な高さとされた後に、位置決めネジ１４で位置決めされる。また、アルミ押し型支柱１にあって嵌挿溝１２に接続される一端に、折り曲げ部１８が延設され、この折り曲げ部１８により商品展示棚の左右両側壁１９の一端に接続され、該商品展示棚の左右側壁１９にあってアルミ押し型支柱１の嵌挿溝１２との接続部分に、プーリシート１９１が接続され、該プーリシート１９１にプーリ１９２が取り付けられ、該プーリ１９２がアルミ押し型横梁３、４、５の断面下方に形成された複数の横向き軌道３１、４１、５１中に嵌合される。アルミ押し型支柱２は、その断面に、アルミ押し型支柱１と同じ機能を具えた二つの嵌挿溝２１、２２が設けられ、それは電源線の収容ともう一つの位置決めブロック１３の嵌挿に供され、四つのアルミ押し型支柱１、２の内部に四つの同じ機能の位置決めブロック１３が嵌挿されて、四つの角部が形成され（図７）、この四つの位置決めブロック１３の上端面の幅を利用し、棚板或いはガラスがその上に置かれ、アルミ押し型支柱２の嵌挿溝２２に接続する一端に折り曲げ部２３が設けられ、並びに折り曲げ部２３の尾端下方に設けられたネジ孔柱２４が、商品展示棚の左右側壁１９の別端に設けられたネジ孔座１９３と相互に枢設されて、回転可能な支点を形成する。アルミ押し型横梁３、４、５には順に複数の横向き軌道３１、４１、５１が形成されて、左右側壁１９の一端に設けられたプーリシート１９１内のプーリ１９２がその内部に挿入され、また該横向き軌道３１、４１、５１の押し型体断面の上或いは下方の対応位置に、略山形の軌道３２、４２、５２が設けられ、その間に引き戸３３或いは隔板４３が取り付けられる。アルミ押し型横梁６、７、８はその上下の対応部分に略Ｕ形軌道６１、７１、８１が設けられてその間に隔板４３が設置され、アルミ押し型横梁６の前方に別に嵌め溝６２が設けられて照明用のランプ６３が嵌め込まれ、アルミ押し型横梁７、８の前方部分に押し型框口７２、８２が設けられてそれにネジ孔柱７３、８３が設けられて、棚板７４の一端がそれと枢設され、並びに回転可能な支点を形成し、棚板７４の別端が開放可能とされる（該棚板７４は商品展示棚の折り畳み可能な特性に合わせて、二片式組成とされ、その間にヒンジが設けられ、一端を上に曲げて折り畳み、さらに位置決めブロック１３０の位置決めネジ１５で固定できる）。上カバー９は、その一端に接続ヘッド９１が設けられてアルミ押し型横梁３の前端の框口３４と嵌挿されて枢設され、回転可能な支点を形成し、上カバー９がこの支点を以てアルミ押し型横梁３の後方に向けて折り曲げ可能とされる。その実施状態は図８に示されるようであり、折り畳む時は、まず上カバー９を上向きに回してアルミ押し型横梁３の後方にいたらしめ、その後、商品展示棚内の棚板７４を上向きに起こして折り畳み、最後に商品展示棚の左右側壁１９のプーリシート１９１を設けた端部を押動すれば、左右側壁１９の折り畳みが完成する（図９）。
【図面の簡単な説明】
【０００７】
【図１】本考案の立体構造分解図である。
【図２】本考案の完全組合せ状態での断面図である。
【図３】本考案の最上層の組合せ断面図である。
【図４】本考案の中間層の組合せ断面図である。
【図５】本考案の中間層の横向き断面図である。
【図６】本考案のプーリシートと軌道間の立体関係図である。
【図７】本考案の棚板を位置決めブロック上端面に置いた立体図である。
【図８】本考案の折り畳み開始時の実施例図である。
【図９】本考案の折り畳み完成時の実施例図である。
【符号の説明】
【０００８】
１、２  アルミ押し型支柱
３、４、５、６、７、８  アルミ押し型横梁
９  上カバー
１１、１２  嵌挿溝
１３、１３０  位置決めブロック
１４、１５  位置決めネジ
１６  嵌挿ブロック
１８  折り曲げ部
１９  側壁
１９１  プーリシート
１９２  プーリ
１９３  ネジ孔座
２１、２２  嵌挿溝
２３  折り曲げ部
２４  ネジ孔柱
３１、４１、５１  横向き軌道
３２、４２、５２  軌道
３３  引き戸
３４  框口
４３  隔板
６１、７１、８１  軌道
６２  嵌め溝
６３  ランプ
７２、８２  框口
７３、８３  ネジ孔柱
７４  棚板
【図１】
0003102881.tif 000003
【図２】
0003102881.tif 000004
【図３】
0003102881.tif 000005
【図４】
0003102881.tif 000006
【図５】
0003102881.tif 000007
【図６】
0003102881.tif 000008
【図７】
0003102881.tif 000009
【図８】
0003102881.tif 000010
【図９】
0003102881.tif 000011